(57)【要約】【課題】梯子を収納位置から使用位置に移動させる作業を、手間をかけず容易に行なうことができるピット梯子装置を提供する。【解決手段】ピット梯子装置において、昇降路１の壁面１ａに取付けられた梯子保持体３と、梯子保持体３に上下方向移動可能に係合される係合部１０を上部に有し、ピット２の底部に当接されて梯子保持体３が取付けられた壁面１ａに対し接離する方向へ移動可能なガイドローラ１１を下部に有し、ガイドローラ１１を梯子保持体３が取付けられた壁面１ａに接近させた収納位置とガイドローラ１１を梯子保持体３が取付けられた壁面１ａから離反させた使用位置とに移動可能であり、収納位置から使用位置へ自重により移動可能な梯子９と、収納位置に位置する梯子９を梯子保持体３にロックするロック機構１６と、を備える。【選択図】図２
2010064869.tif 000002
【特許請求の範囲】
【請求項１】
昇降路の壁面に取付けられた梯子保持体と、
前記梯子保持体に上下方向移動可能に係合される係合部を上部に有し、ピットの底部に当接されて前記梯子保持体が取付けられた壁面に対し接離する方向へ移動可能なガイドローラを下部に有し、前記ガイドローラを前記梯子保持体が取付けられた前記壁面に接近させた収納位置と前記ガイドローラを前記梯子保持体が取付けられた前記壁面から離反させた使用位置とに移動可能であり、前記収納位置から前記使用位置へ自重により移動可能な梯子と、
収納位置に位置する前記梯子を前記梯子保持体にロックするロック機構と、
を備えることを特徴とするピット梯子装置。
【請求項２】
前記ピットの底部に、前記ガイドローラを移動方向に沿ってガイドするガイドレールを備えることを特徴とする請求項１記載のピット梯子装置。
【請求項３】
前記ガイドローラに代えてガイドシューを備えることを特徴とする請求項１又は２記載のピット梯子装置。
【請求項４】
前記梯子に連結されたロープと、このロープを巻き取ることにより前記梯子を前記使用位置から前記収納位置に移動させる巻取装置とを備えることを特徴とする請求項１ないし３のいずれか一項に記載のピット梯子装置。
【請求項５】
前記昇降路内に設けられた可動体の移動を規制する安全装置と、
前記梯子が前記使用位置に位置する場合に前記安全装置を規制状態に切換える切換部材と、
を備えることを特徴とする請求項１ないし４のいずれか一項に記載のピット梯子装置。
【請求項６】
前記安全装置は前記梯子保持体に設けられ、
前記切換部材は、前記安全装置を押圧する位置とこの押圧を解除する位置とに回動可能に前記梯子に設けられ、前記梯子を使用位置に移動させる場合には前記安全装置の押圧を解除する位置へ回動されるとともにこの回動により前記安全装置を規制状態に切換える安全装置作動用フックであることを特徴とする請求項５記載のピット梯子装置。
【請求項７】
前記安全装置は前記ピットの底部に設けられ、
前記切換部材は、前記梯子が前記収納位置又は前記使用位置に移動した場合に前記安全装置を押圧し又は押圧を解除する位置へ移動するとともにこの移動により前記安全装置を規制状態に切換える前記ガイドローラ又は前記ガイドシューであることを特徴とする請求項５記載のピット梯子装置。
【請求項８】
前記梯子が使用位置に位置する場合に、前記ピットに出入りする階床のホールドアが閉止されることを防止するホールドア閉止防止装置を備えることを特徴とする請求項１ないし７のいずれか一項に記載のピット梯子装置。
【発明の詳細な説明】
【技術分野】
【０００１】
本発明は、ピット梯子装置に関し、特に、作業のためにピットに降りる場合に使用するピット梯子装置に関する。
【背景技術】
【０００２】
エレベータには、ピットに降りる場合に使用するピット梯子装置が設けられており、例えば、下記特許文献１に記載されたピット梯子装置が知られている。
【０００３】
特許文献１に記載されたピット梯子装置は、梯子の上端を固定具により保持することで、使用時の梯子の転倒を防止している。
【特許文献１】実開平４−２４５７６号公報
【発明の開示】
【発明が解決しようとする課題】
【０００４】
しかしながら、前述のピット梯子装置においては、梯子を収納位置から使用位置に移動させる場合に手間がかかっている。
【０００５】
本発明はこのような課題を解決するためになされたもので、その目的は、梯子を収納位置から使用位置に移動させる作業を、手間をかけず容易に行なうことができるピット梯子装置を提供することである。
【課題を解決するための手段】
【０００６】
本発明の実施の形態に係る第１の特徴は、ピット梯子装置において、昇降路の壁面に取付けられた梯子保持体と、前記梯子保持体に上下方向移動可能に係合される係合部を上部に有し、ピットの底部に当接されて前記梯子保持体が取付けられた壁面に対し接離する方向へ移動可能なガイドローラを下部に有し、前記ガイドローラを前記梯子保持体が取付けられた前記壁面に接近させた収納位置と前記ガイドローラを前記梯子保持体が取付けられた前記壁面から離反させた使用位置とに移動可能であり、前記収納位置から前記使用位置へ自重により移動可能な梯子と、収納位置に位置する前記梯子を前記梯子保持体にロックするロック機構と、を備えることである。
【発明の効果】
【０００７】
本発明によれば、梯子を収納位置から使用位置に移動させる作業を、手間をかけず容易に行なうことができる。
【発明を実施するための最良の形態】
【０００８】
以下、本発明の実施の形態を図面を用いて説明する。
【０００９】
（第１の実施の形態）
本発明の第１の実施の形態のピット梯子装置は、図１に示すように、乗りかご（図示せず）が昇降する昇降路１の壁面１ａであって、ピット２の近傍に取付けられて上下方向に延出した梯子保持体３を備えている。図１において、４はピット２に出入りする最下階の階床のホールシル、５は最下階の階床において乗りかごに乗り降りするための出入口、６は出入口５を開閉するホールドア、７はフィッシャープレートを示している。
【００１０】
梯子保持体３は、一対の梯子保持片３ａ、３ｂを平行に対向させて構成されており、梯子保持片３ａ、３ｂの上部には上下方向に長い長穴８が形成されている。
【００１１】
梯子保持体３には、収納位置と使用位置とに移動可能に梯子９が取付けられている。図１及び図２は収納位置に位置する梯子９を示し、図３は使用位置に位置する梯子９を示している。
【００１２】
梯子９の上部には一対の係合部１０が取付けられ、これらの係合部１０を梯子保持片３ａ、３ｂに形成された長穴８に上下方向移動可能に係合させることにより、梯子保持体３への梯子９の取付けが行なわれている。
【００１３】
梯子９の下部には、ピット２の底部に当接され、梯子保持体３が取付けられた壁面１ａに対して接離する方向へ移動可能な一対のガイドローラ１１が回転可能に取付けられている。
【００１４】
梯子９には、一端を支軸１２により軸支されてこの支軸１２の軸心回りに回動可能なアーム１３が取付けられている。アーム１３の他端には、操作ハンドルを兼ねるロックピン１４が取付けられている。
【００１５】
梯子保持片３ｂには、ロックピン１４が係合されるロック溝１５が形成されている。ロック溝１５は、係合部１０を長穴８に沿って上方へ移動させることにより梯子９を収納位置に位置させ、アーム１３とロックピン１４とを支軸１２を支点として回動させた場合にロックピン１４が係合される位置に形成されている。これらのアーム１３、ロックピン１４、ロック溝１５により、梯子９を収納位置で梯子保持体３にロックするロック機構１６が構成されている。
【００１６】
また、梯子９が収納位置に位置してロック機構１６がロックされている場合に、ロックピン１４をロック溝１５との係合を解除する位置に回動させてロック機構１６のロック状態を解除すると、梯子９は自重で使用位置に向けて移動する。
【００１７】
このような構成において、梯子９を使用しない場合には、梯子９は図１及び図２に示すように収納位置でロック機構１６によりロックされている。梯子９が収納位置でロックされている場合、ロックピン１４がロック溝１５に係合され、梯子９は昇降路１における梯子保持体３が取付けられた壁面１ａに沿って略起立状態に維持されている。
【００１８】
ピット２内での作業を行なうためにピット２内に降りる場合には、図３に示すように梯子９を斜めに傾いた使用位置に移動させる。梯子９が使用位置に位置する場合、ガイドローラ１１は壁面１ａから離反する位置に移動し、係合部１０が長穴８に沿って下方位置へ移動している。
【００１９】
収納位置に位置する梯子９を使用位置に移動させる場合には、ホールドア６を開け、ホールシル４と略同じ高さ位置に位置しているロックピン１４を回動操作してロック溝１５との係合を解除する。
【００２０】
これにより、梯子９が使用位置に向けて自重により自動的に移動し、ガイドローラ１１が壁面１ａから離反する方向に移動するとともに係合部１０が長穴８内を下方へ移動する。
【００２１】
したがって、収納位置に位置する梯子９を使用位置に移動させる場合には、ロック機構１６のロック状態を解除するだけでよく、梯子９は自重によって自動的に使用位置に移動する。このため、収納位置に位置する梯子９を使用位置に移動させる作業を手間をかけずに容易に行なうことができる。
【００２２】
（第２の実施の形態）
本発明の第２の実施の形態のピット梯子装置を、図４及び図５に基づいて説明する。なお、第２の実施の形態及びこれ以降の他の実施の形態において、第１の実施の形態において説明した構成要素と同じ構成要素には同じ符号を付け、重複する説明は省略する。
【００２３】
第２の実施の形態のピット梯子装置の基本的な構成は、第１の実施の形態のピット梯子装置と同じである。第２の実施の形態が第１の実施の形態と異なる点は、ピット２の底部に、ガイドローラ１１を移動方向に沿ってガイドする一対のガイドレール２１が設けられている点である。
【００２４】
ガイドレール２１は、断面形状がＬ字型に形成され、ガイドローラ１１により踏圧される底面部２１ａと、ガイドローラ１１の外側面を覆う側面部２１ｂとを有している。
【００２５】
このような構成において、梯子９を収納位置から使用位置に移動させる場合には、ガイドローラ１１はガイドレール２１の側面部２１ｂに沿って案内されるため、梯子９を使用位置に移動させる場合、及び、作業員が梯子９を使用してピット２に降りる場合、ガイドローラ１１の横揺れが防止され、及び、ガイドローラ１１の横揺れが原因となる梯子９のぐらつきを抑えることができる。
【００２６】
（第３の実施の形態）
本発明の第３の実施の形態のピット梯子装置を、図６及び図７に基づいて説明する。
【００２７】
第３の実施の形態のピット梯子装置の基本的な構成は、第１の実施の形態のピット梯子装置と同じである。第３の実施の形態が第１の実施の形態と異なる点は、第１の実施の形態で説明したガイドローラ１１に代えて、ガイドシュー３１が用いられている点と、ガイドシュー３１の溝３１ａが係合するガイドレール３２がピット２の底部に設けられけている点である。
【００２８】
このような構成において、梯子９を収納位置から使用位置に移動させる場合には、溝３１ａをガイドレール３２に係合させたガイドシュー３１がガイドレール３２に沿って移動する。このため、梯子９を使用位置に移動させる場合、及び、作業員が梯子９を使用してピット２に降りる場合、梯子９のぐらつきをより一層抑えることができる。
【００２９】
（第４の実施の形態）
本発明の第４の実施の形態のピット梯子装置を、図８に基づいて説明する。
【００３０】
第４の実施の形態のピット梯子装置の基本的な構成は、第１の実施の形態のピット梯子装置と同じである。第４の実施の形態が第１の実施の形態と異なる点は、第１の実施の形態に対し、梯子９の上端部に連結されたロープであるワイヤロープ４１と、このワイヤロープ４１を巻き取ることにより使用位置に位置する梯子９を収納位置に移動させる巻取装置４２とが設けられている点である。
【００３１】
このような構成において、収納位置に位置する梯子９を使用位置に移動させる場合には、第１の実施の形態で説明したように、ロックピン１４を回動操作してロック溝１５との係合を解除し、略起立状態となっている梯子９をガイドローラ１１が壁面１ａから離反する方向へ移動させる。
【００３２】
ピット２内での作業が終了した後、使用位置に位置する梯子９を収納位置に戻す場合には、巻取装置４２を操作してワイヤロープ４１を巻き取る。ワイヤロープ４１を巻き取ることにより、使用位置に位置する梯子９が収納位置に向けて次第に移動する。梯子９が収納位置に移動した後、ロックピン１４をロック溝１５に係合させ、梯子９を収納位置で梯子保持体３にロックする。
【００３３】
したがって、ワイヤロープ４１と巻取装置４２とを設けることにより、梯子９を使用位置から収納位置へ移動させる作業を、手間をかけず容易に行なうことができ、しかも、梯子９を収納する作業の安全性を高めることができる。
【００３４】
（第５の実施の形態）
本発明の第５の実施の形態のピット梯子装置を、図９及び図１０に基づいて説明する。
【００３５】
第５の実施の形態のピット梯子装置の基本的な構成は、第１の実施の形態のピット梯子装置と同じである。第５の実施の形態が第１の実施の形態と異なる点は、昇降路１内に設けられた可動体の移動、例えば、乗りかごやつり合い重りの昇降を規制する安全装置５１と、梯子９が使用位置に位置する場合に安全装置５１を規制状態に切換える切換部材である安全装置作動用フック５２とが設けられている点である。
【００３６】
安全装置５１は、梯子保持片３ａ、３ｂの上端部を連結して設けられた安全装置設置フレーム５３に取付けられている。この安全装置５１にはオン・オフ切換え用のスイッチ部５１ａが設けら、スイッチ部５１ａの押圧が解除されて安全装置５１がオンに切換えられた場合には、昇降路１内に設けられた可動体である乗りかごやつり合い重りが昇降することを規制する規制信号が安全装置５１からエレベータ制御装置（図示せず）に出力される。また、スイッチ部５１ａが押圧されて安全装置５１がオフに切換えられた場合には、安全装置５１からエレベータ制御装置への規制信号の出力が停止される。
【００３７】
安全装置作動用フック５２は、梯子９の上端部の横梁部５４に上下方向回動可能に取付けられている。梯子９が収納位置に位置する場合に安全装置作動用フック５２を上方へ回動させると、安全装置作動用フック５２は安全装置５１のスイッチ部５１ａを押圧し、安全装置５１がオフになる。
【００３８】
図１０は、梯子９が収納位置に位置し、安全装置作動用フック５２を上方（矢印Ａ方向）へ回動させてスイッチ部５１ａを押圧した状態を示している。スイッチ部５１ａが押圧されることにより、安全装置５１がオフとなり、安全装置５１からエレベータ制御装置への規制信号の出力が停止されている。
【００３９】
図９は、梯子９が収納位置に位置する場合に、梯子９を使用位置に移動させるために安全装置作動用フック５２を下方（矢印Ｂ方向）へ回動させてスイッチ部５１ａの押圧を解除した状態を示している。スイッチ部５１ａの押圧が解除されることにより、安全装置５１がオンとなり、安全装置５１からエレベータ制御装置へ規制信号が出力される。
【００４０】
このような構成において、梯子９を収納位置から使用位置に移動させる場合には、梯子９が収納位置に位置している状態において、安全装置作動用フック５２を図１０に示す位置から下方（矢印Ｂ方向）へ回動させなればならない。安全装置作動用フック５２がスイッチ部５１ａを押圧している状態では、ロック機構１６（図１〜図３参照）を解除しても、安全装置作動用フック５２が安全装置５１のスイッチ部５１ａに引っ掛かっているために梯子９を使用位置へ移動させることができないためである。安全装置作動用フック５２を下方へ回動させることにより、図９に示すようにスイッチ部５１ａの押圧が解除され、安全装置５１がオンになる。
【００４１】
安全装置５１がオンになると、安全装置５１からエレベータ制御装置に規制信号が出力され、乗りかごやつり合い重り等の昇降が規制される。
【００４２】
このため、梯子９を使用位置に移動させてピット２内での作業を行なっている最中には、乗りかご等が昇降するということを防止することができ、ピット２内での作業の安全性を高めることができる。
【００４３】
ピット２内での作業が終了して梯子９を収納位置に移動させた場合には、安全装置作動用フック５２を図１０において矢印Ａで示すように上方へ回動させ、安全装置５１のスイッチ部５１ａを押圧して安全装置５１をオフにすることができる。安全装置５１がオフになると、安全装置５１からエレベータ制御装置への規制信号の出力が停止され、乗りかご等が昇降可能となる。
【００４４】
（第６の実施の形態）
本発明の第６の実施の形態のピット梯子装置を、図１１に基づいて説明する。
【００４５】
第６の実施の形態のピット梯子装置の基本的な構成は、第１の実施の形態のピット梯子装置と同じである。第６の実施の形態が第１の実施の形態と異なる点は、第５の実施の形態で説明したように、昇降路１内に設けられた可動体の移動、例えば、乗りかごやつり合い重りの昇降を規制する安全装置６１が設けられ、梯子９が使用位置に位置する場合に安全装置６１を規制状態に切換える切換部材としてガイドローラ１１が用いられている点である。
【００４６】
安全装置６１は、ピット２の底部に取付けられている。この安全装置６１はオン・オフ切換え用のスイッチ部６１ａが設けられ、スイッチ部６１ａの押圧が解除されて安全装置６１がオンに切換えられた場合には、昇降路１内に設けられた可動体である乗りかごやつり合い重りが昇降することを規制する規制信号が安全装置６１からエレベータ制御装置（図示せず）に出力される。また、スイッチ部６１ａが押圧されて安全装置６１がオフに切換えられた場合には、安全装置６１からエレベータ制御装置への規制信号の出力が停止される。
【００４７】
図１１において、仮想線で示すガイドローラ１１は梯子９が収納位置に位置する場合を示し、実線で示すガイドローラ１１は梯子９が使用位置に位置する場合を示している。
【００４８】
梯子９が収納位置に位置する場合には、ガイドローラ１１が安全装置６１のスイッチ部６１ａを押圧し、安全装置６１がオフになり、安全装置６１からエレベータ制御装置への規制信号の出力が停止される。
【００４９】
梯子９が使用位置に位置する場合には、ガイドローラ１１による安全装置６１のスイッチ部６１ａの押圧が解除され、安全装置６１がオンになり、安全装置６１からエレベータ制御装置へ規制信号が出力される。
【００５０】
このような構成において、梯子９を使用位置に移動させた場合には、ガイドローラ１１が実線で示す位置に移動し、ガイドローラ１１による安全装置６１のスイッチ部６１ａの押圧が解除され、安全装置６１がオンになる。
【００５１】
安全装置６１がオンになると、安全装置６１からエレベータ制御装置に規制信号が出力され、乗りかごやつり合い重り等の昇降が規制される。
【００５２】
このため、梯子９を使用位置に移動させてピット２内での作業を行なっている最中には、乗りかご等が昇降するということを防止することができ、ピット２内での作業の安全性を高めることができる。
【００５３】
ピット２内での作業が終了して梯子９を収納位置に移動させた場合には、ガイドローラ１１が仮想線で示す位置に移動し、安全装置６１のスイッチ部６１ａが押圧されて安全装置６１がオフになる。安全装置６１がオフになると、安全装置６１からエレベータ制御装置への規制信号の出力が停止され、乗りかご等が昇降可能となる。
【００５４】
本実施の形態によれば、梯子９を使用位置と収容位置とに移動させることにより安全装置６１のオン・オフ切換を自動的に行うことができ、安全装置６１のオン・オフ切換を忘れるということが発生しない。
【００５５】
なお、本実施の形態では、梯子９を使用位置に移動させた場合に、ガイドローラ１１による安全装置６１のスイッチ部６１ａの押圧が解除され、安全装置６１がオンになり、安全装置６１からエレベータ制御装置に規制信号が出力される場合を例に挙げて説明している。しかし、これとは逆に、梯子９を使用位置に移動させた場合にガイドローラ１１により押圧される位置に安全装置を設置し、ガイドローラ１１により押圧された安全装置からエレベータ制御装置に規制信号を出力する構成としてもよい。
【００５６】
図１２は、第６の実施の形態の変形例を示すもので、安全装置６２をピット２の底部である昇降路１の壁面１ａに取付けたものである。この変形例においても、梯子９を使用位置に移動させた場合には、ガイドローラ１１が実線で示す位置に移動し、ガイドローラ１１による安全装置６１のスイッチ部６１ａの押圧が解除され、安全装置６１がオンになる。安全装置６１がオンになると、安全装置６１からエレベータ制御装置に規制信号が出力され、乗りかごやつり合い重り等の昇降が規制される。
【００５７】
ピット２内での作業が終了して梯子９を収納位置に移動させた場合には、ガイドローラ１１が仮想線で示す位置に移動し、安全装置６２のスイッチ部６２ａが押圧されて安全装置６２がオフになる。安全装置６２がオフになると、安全装置６２からエレベータ制御装置への規制信号の出力が停止され、乗りかご等が昇降可能となる。
【００５８】
（第７の実施の形態）
本発明の第７の実施の形態のピット梯子装置を、図１３及び図１４に基づいて説明する。
【００５９】
第７の実施の形態のピット梯子装置の基本的な構成は、第１の実施の形態のピット梯子装置と同じである。第６の実施の形態が第１の実施の形態と異なる点は、梯子９が使用位置に位置する場合、ピット２に出入りする階床（最下階の階床）のホールドア６が閉止されることを防止するホールドア閉止防止装置７１が設けられている点である。
【００６０】
ホールドア閉止防止装置７１は、ホールシル４の下側に設けられた保持体７２と、保持体７２上にスプリング７３を介して保持されたストッパ７４と、梯子９を梯子保持体３にロックするためのロックピン１４とにより構成されている。
【００６１】
梯子９が使用位置に位置する場合には、図１４に示すように、ストッパ７４はスプリング７３により付勢されてホールシル４の上面部から上方へ突出する。これにより、ホールドア６がホールシル４上を閉止位置に移動することを規制することができる。なお、ホールシル４には、ストッパ７４が上方へ突出するための開口（図示せず）が形成されている。
【００６２】
梯子９が収納位置に位置する場合には、図１３に示すように、梯子保持片３ｂに形成されたロック溝１５に係合されたロックピン１４の先端部がストッパ７４に当接する。ロックピン１４がストッパ７４に当接することにより、ストッパ７４がスプリング７３の付勢力に抗して下向きに押し下げられ、ストッパ７４がホールシル４の上面部から上方へ突出しないように維持される。
【００６３】
このような構成において、梯子９を収納位置に移動し、梯子９を収納位置でロックするためにロックピン１４をロック溝１５に係合させると、ロックピン１４はストッパ７４に当接してストッパ７４を押し下げ、ストッパ７４はホールシル４の上面部から上方へ突出しない状態に維持される。このため、ホールドア６はストッパ７４に規制されることなくホールシル４上を移動し、ホールドア６が開閉される。
【００６４】
梯子９を使用位置に移動させる場合には、ロックピン１４をロック溝１５への係合が解除される位置へ回動させる。
【００６５】
ロックピン１４をロック溝１５への係合が解除される位置へ回動させると、ストッパ７４へのロックピン１４の当接が解除され、ストッパ７４はスプリング７３の付勢力によりホールシル４の上面部から上方へ突出する。
【００６６】
ストッパ７４がホールシル４の上面部から上方へ突出することにより、このストッパ７４によってホールドア６の閉止位置に移動することが規制される。これにより、ピット２内での作業中にホールドア６が閉止されることを防止することができる。また、ピット２内での作業が終了した後、梯子９を収納位置に移動させることを忘れることを防止することができる。
【図面の簡単な説明】
【００６７】
【図１】本発明の第１の実施の形態のピット梯子装置を示す正面図である。
【図２】梯子が収納位置に位置する場合のピット梯子装置を示す側面図である。
【図３】梯子が使用位置に位置する場合のピット梯子装置を示す側面図である。
【図４】本発明の第２の実施の形態のピット梯子装置の一部を示す正面図である。
【図５】その側面図である。
【図６】本発明の第３の実施の形態のピット梯子装置の一部を示す正面図である。
【図７】その側面図である。
【図８】本発明の第４の実施の形態のピット梯子装置を示す正面図である。
【図９】本発明の第５の実施の形態のピット梯子装置の一部を示す正面図である。
【図１０】その側面図である。
【図１１】本発明の第６の実施の形態のピット梯子装置の一部を示す側面図である。
【図１２】第６の実施の形態の変形例のピット梯子装置の一部を示す側面図である。
【図１３】本発明の第７の実施の形態のピット梯子装置の一部であって、梯子を収納位置に位置させた場合を示す正面図である。
【図１４】本発明の第７の実施の形態のピット梯子装置の一部であって、梯子を使用位置に位置させた場合を示す正面図である。
【符号の説明】
【００６８】
１      昇降路
１ａ    壁面
２      ピット
３      梯子保持体
８      梯子
９      係合部
１０      ガイドローラ
１５      ロック機構
２１      ガイドレール
３１      ガイドシュー
３２      ガイドレール
４１      ワイヤロープ（ロープ）
４２      巻取装置
５１      安全装置
５２      安全装置作動用フック（切換部材）
６１      安全装置
７１      ホールドア閉止防止装置
【図１】
2010064869.tif 000003
【図２】
2010064869.tif 000004
【図３】
2010064869.tif 000005
【図４】
2010064869.tif 000006
【図５】
2010064869.tif 000007
【図６】
2010064869.tif 000008
【図７】
2010064869.tif 000009
【図８】
2010064869.tif 000010
【図９】
2010064869.tif 000011
【図１０】
2010064869.tif 000012
【図１１】
2010064869.tif 000013
【図１２】
2010064869.tif 000014
【図１３】
2010064869.tif 000015
【図１４】
2010064869.tif 000016